(57)【要約】      （修正有）【課題】感度調節構造をもった投影型静電容量方式タッチパネルを提供する。【解決手段】感度調節構造をもった投影型静電容量方式タッチパネルは、Ｘ軸感知層ＸＳとＹ軸感知層ＹＳを有する。Ｘ軸感知層は、複数の感知行からなり、各感知行は、直列に接続された複数のＸ軸電極からなる。Ｙ軸感知層は、複数の感知列からなり、各感知列は、直列に接続された複数のＹ軸電極からなる。Ｘ軸電極とＹ軸電極は、お互いの間に形成されている。少なくとも1つのＸ軸電極および少なくとも1つのＹ軸電極上に少なくとも1つの孔が形成されている。Ｘ軸電極およびＹ軸電極の面積は減少する。従って、２つの隣接する電極の間の結合静電容量は減少する。【選択図】図１
0003174557.tif 000002
【実用新案登録請求の範囲】
【請求項１】
感度調節構造をもった投影型静電容量方式タッチパネルであって、
Ｘ軸感知層であって、
複数の感知行であって、各感知行が、
直列に接続された複数のＸ軸電極と、
Ｘ軸電極上に形成された少なくとも1つの孔と、
と含む感知行と、
感知行にそれぞれ接続された複数のＸ軸駆動ワイヤと、
を含むＸ軸感知層と、
Ｙ軸感知層であって、
複数の感知列であって、各感知列が、
直列に接続された複数のＹ軸電極で、各Ｘ軸電極と各Ｙ軸電極の間に静電容量が形成されているものと、
Ｙ軸電極上に形成された少なくとも1つの孔と、
を含む感知列と、
感知列にそれぞれ接続された複数のＹ軸駆動ワイヤと、
を含むＹ軸感知層と、
を含む、感度調節構造をもった投影型静電容量方式タッチパネル。
【請求項２】
少なくとも1つのＸ軸電極上にそれぞれ２つの孔が形成されており、
少なくとも1つのＹ軸電極上にそれぞれ２つの孔が形成されている、
請求項１記載の感度調節構造をもった投影型静電容量方式タッチパネル。
【請求項３】
Ｘ軸電極とＹ軸電極は菱形形状に形成されており、
各Ｘ軸電極の２つの孔の間に経路が形成されており、同じ感知行中の経路は1つのラインに配置されており、
各Ｙ軸電極の２つの孔の間に経路が形成されており、同じ感知列中の経路は1つのライン中に位置している、
請求項２記載の感度調節構造をもった投影型静電容量方式タッチパネル。
【請求項４】
各Ｘ軸電極および各Ｙ軸電極中の２つの孔は三角形形状に且つお互いに反対側に形成されている、請求項３記載の感度調節構造をもった投影型静電容量方式タッチパネル。
【請求項５】
各Ｘ軸電極および各Ｙ軸電極中の２つの孔は半円形形状に且つお互いに反対側に形成されている、請求項３記載の感度調節構造をもった投影型静電容量方式タッチパネル。
【請求項６】
Ｘ軸電極とＹ軸電極は菱形形状に形成されており、
各Ｘ軸電極の２つの孔の間に経路が形成されており、同じ感知行の２つの隣接するＸ軸電極中の経路はお互いに平行であり、
各Ｙ軸電極の２つの孔の間に経路が形成されており、同じ感知列の２つの隣接するＹ軸電極中の経路はお互いに平行である、
請求項２記載の感度調節構造をもった投影型静電容量方式タッチパネル。
【請求項７】
各Ｘ軸電極および各Ｙ軸電極中の２つの孔は三角形形状に且つお互いに反対側に形成されている、請求項６記載の感度調節構造をもった投影型静電容量方式タッチパネル。
【請求項８】
各Ｘ軸電極および各Ｙ軸電極中の２つの孔は半円形形状に且つお互いに反対側に形成されている、請求項６記載の感度調節構造をもった投影型静電容量方式タッチパネル。
【請求項９】
感度調節構造をもった投影型静電容量方式タッチパネルであって、
Ｘ軸感知層であって、
複数の感知行であって、各感知行は並列に接続された少なくとも２つのＸ軸電極ストリングからなり、各感知ストリングが、
直列に接続された複数のＸ軸電極と、
Ｘ軸電極上に形成された少なくとも1つの孔と、
と含む感知行と、
感知行にそれぞれ接続された複数のＸ軸駆動ワイヤと、
を含むＸ軸感知層と、
Ｙ軸感知層であって、
複数の感知列であって、各感知列は並列に接続された少なくとも２つのＹ軸電極ストリングからなり、各感知ストリングが、
直列に接続された複数のＹ軸電極で、各Ｘ軸電極と各Ｙ軸電極の間に静電容量が形成されているものと、
Ｙ軸電極上に形成された少なくとも1つの孔と、
を含む感知列と、
感知列にそれぞれ接続された複数のＹ軸駆動ワイヤと、
を含むＹ軸感知層と、
を含む、感度調節構造をもった投影型静電容量方式タッチパネル。
【請求項１０】
少なくとも1つのＸ軸電極上にそれぞれ２つの孔が形成されており、
少なくとも1つのＹ軸電極上にそれぞれ２つの孔が形成されている、
請求項９記載の感度調節構造をもった投影型静電容量方式タッチパネル。
【請求項１１】
Ｘ軸電極とＹ軸電極は菱形形状に形成されており、
各Ｘ軸電極の２つの孔の間に経路が形成されており、同じ感知行中の経路は1つのライン中に位置しており、
各Ｙ軸電極の２つの孔の間に経路が形成されており、同じ感知列中の経路は1つのライン中に位置している、
請求項１０記載の感度調節構造をもった投影型静電容量方式タッチパネル。
【請求項１２】
各Ｘ軸電極および各Ｙ軸電極中の２つの孔は三角形形状に且つお互いに反対側に形成されている、請求項１１記載の感度調節構造をもった投影型静電容量方式タッチパネル。
【請求項１３】
各Ｘ軸電極および各Ｙ軸電極中の２つの孔は半円形形状に且つお互いに反対側に形成されている、請求項１１記載の感度調節構造をもった投影型静電容量方式タッチパネル。
【請求項１４】
Ｘ軸電極とＹ軸電極は菱形形状に形成されており、
各Ｘ軸電極の２つの孔の間に経路が形成されており、同じ感知行の２つの隣接するＸ軸電極中の経路はお互いに平行であり、
各Ｙ軸電極の２つの孔の間に経路が形成されており、同じ感知列の２つの隣接するＹ軸電極中の経路はお互いに平行である、
請求項１０記載の感度調節構造をもった投影型静電容量方式タッチパネル。
【請求項１５】
各Ｘ軸電極および各Ｙ軸電極中の２つの孔は三角形形状に且つお互いに反対側に形成されている、請求項１４記載の感度調節構造をもった投影型静電容量方式タッチパネル。
【請求項１６】
各Ｘ軸電極および各Ｙ軸電極中の２つの孔は半円形形状に且つお互いに反対側に形成されている、請求項１４記載の感度調節構造をもった投影型静電容量方式タッチパネル。
【考案の詳細な説明】
【技術分野】
【０００１】
本考案は、投影型静電容量方式タッチパネルに関し、より特定には感度調節構造をもったタッチパネルに関する。
【背景技術】
【０００２】
米国特許出願出版番号2010/0245285を参照すると、静電容量方式タッチパネルは、透明な基板と、透明な基板上に設けられた複数の第一感知電極セットと第二感知電極セットを含む。各第一感知電極セットは、複数の第一ワイヤを通して電気的に直列に結合された複数の第一感知電極を含む。各第二感知電極セットは、複数の第二感知電極を含む。メッシュ状のパターンを有する色補償層が、第一感知電極と第二感知電極の間に設けられている。第二ワイヤは、第二感知電極を直列に結合するように、色補償層の表面の一部を覆う。
【０００３】
図１１を参照すると、従来の投影型静電容量方式タッチパネルは、基板７０と、Ｘ軸感知層８０と、Ｙ軸感知層９０からなる。
【０００４】
基板７０は透明で、上方表面と下方表面を有する。
【０００５】
Ｘ軸感知層８０は、基板７０の上方表面上に形成され、複数の感知行からなる。各感知行は、直列に接続された複数のＸ軸電極８１からなる。Ｘ軸電極は、菱形形状に形成される。各感知行は、Ｘ軸駆動ワイヤ８２に電気的に接続されている。
【０００６】
Ｙ軸感知層９０は、基板７０の下方表面上に形成され、複数の感知列からなる。各感知列は、直列に接続された複数のＹ軸電極９１からなる。Ｙ軸電極９１は、菱形形状に形成される。各感知列は、Ｙ軸駆動ワイヤ９２に電気的に接続されている。
【０００７】
図１２を参照すると、Ｘ軸感知層８０のＸ軸電極８１とＹ軸感知層９０のＹ軸電極９１は、お互いの間に置かれている。一般的に、Ｘ軸感知層８０のＸ軸駆動ワイヤ８２とＹ軸感知層９０のＹ軸駆動ワイヤ９２は、基板７０の一方のサイドから他方のサイドまで伸びる。接続ポートが基板７０のサイドの１つ上に載置され、コントローラに接続するように適用される。コントローラは、Ｘ軸感知層８０とＹ軸感知層９０の静電容量電荷を検出する。
【０００８】
投影型静電容量方式タッチパネルでは、感知層とコントローラの間の協調要求は高い。しかし、Ｘ軸駆動ワイヤ８２とＹ軸駆動ワイヤ９２は、基板７０のサイドに沿っている。この状態では、Ｘ軸駆動ワイヤ８２とコントローラの間の距離は、Ｙ軸駆動ワイヤ９２とコントローラの間の距離とは異なる。それは、Ｘ軸駆動ワイヤ８２とＹ軸駆動ワイヤ９２の長さが異なることを意味する。各Ｘ軸駆動ワイヤ８２または各Ｙ軸駆動ワイヤ９２のインピーダンスは、その長さに直接比例する。より大きなサイズのタッチパネルが形成されればされるほど、駆動ワイヤのより大きなインピーダンスが現れる。従って、タッチポイントの座標を決定するための感度と精度が影響を受ける。
【０００９】
図１３を参照すると、お互いの間に配置された複数のＸ軸電極６１と複数のＹ軸電極６２がある。透明プレート６３が基板６０上に載置され、Ｘ軸電極６１とＹ軸電極６２を覆う。もし投影型静電容量方式タッチパネルが起動されれば、１つのＸ軸電極６１と１つの隣りのＹ軸電極６２の間に結合静電容量Ｃｐが誘起される。
【００１０】
図１４を参照すると、もし指または導電体が透明プレート６３の表面にタッチすれば、新たな静電容量Ｃｆが誘起される。従って、コントローラが複数のＸおよびＹ軸駆動ワイヤを通してＸ軸電極６１およびＹ軸電極６２をスキャンした時、コントローラは、タッチポイントの座標を決定するために或る静電容量Ｃｐ＋Ｃｆを得る。
【００１１】
結果として、もし隣接するＸ軸電極６１とＹ軸電極６２の間の静電容量Ｃｐが減少すれば、タッチポイントの座標を決定するためのコントローラの感度と精度は促進される。
【考案の概要】
【考案が解決しようとする課題】
【００１２】
従って、本考案の目的は、投影型静電容量方式タッチパネルを提供することである。感知層の電極のサイズを削減することによって、結合静電容量は減少する。タッチポイントの感度は促進される。
【００１３】
前述した目的を達成するために、感度調節構造をもった投影型静電容量方式タッチパネルは、Ｘ軸感知層とＹ軸感知層からなる。
Ｘ軸感知層は、複数の感知行と、感知行にそれぞれ接続された複数のＸ軸駆動ワイヤからなる。各感知行は、直列に接続された複数のＸ軸電極と、Ｘ軸電極上に形成された少なくとも1つの孔からなる。
【００１４】
Ｙ軸感知層は、複数の感知列と、感知列にそれぞれ接続された複数のＹ軸駆動ワイヤからなる。各感知列は、直列に接続された複数のＹ軸電極と、Ｙ軸電極上に形成された少なくとも1つの孔からなる。各Ｘ軸電極と各Ｙ軸電極の間に静電容量が形成されている。
【００１５】
前述した目的を達成するために、感度調節構造をもった投影型静電容量方式タッチパネルは、Ｘ軸感知層とＹ軸感知層からなる。
Ｘ軸感知層は、複数の感知行と、感知行にそれぞれ接続された複数のＸ軸駆動ワイヤからなる。各感知行は、並列に接続された少なくとも２つのＸ軸電極ストリングからなる。各感知ストリングは、直列に接続された複数のＸ軸電極と、Ｘ軸電極上に形成された少なくとも1つの孔からなる。
【００１６】
Ｙ軸感知層は、複数の感知列と、感知列にそれぞれ接続された複数のＹ軸駆動ワイヤからなる。各感知列は、並列に接続された少なくとも２つのＹ軸電極ストリングからなる。各感知ストリングは、直列に接続された複数のＹ軸電極と、Ｙ軸電極上に形成された少なくとも1つの孔からなる。各Ｘ軸電極と各Ｙ軸電極の間に静電容量が形成されている。
【００１７】
各Ｘ軸電極と各Ｙ軸電極は、それぞれ少なくとも１つの孔を有するので、その上に電極材料が分布しているところの面積は減少する。２つの隣接するＸ軸電極とＹ軸電極の間の結合静電容量は、Ｘ軸電極とＹ軸電極の面積に直接比例する。もしＸ軸電極とＹ軸電極の面積が減少すれば、結合静電容量はより低くなる。従って、指または導電体がタッチパネルに接近して新たな静電容量を発生した時、結合静電容量の元の静電容量値は小さいという条件の下では、静電容量の変動についての感度は上昇される。
【００１８】
従って、タッチパネルの感度は促進される。加えて、大きなサイズのタッチパネルの駆動ワイヤのインピーダンスは大きいけれども、感度は低下されない。この考案に従った技術を介してタッチパネルの感度が促進されるので、大きなサイズのタッチパネルにおける感度の問題が解決される。
【図面の簡単な説明】
【００１９】
【図１】図１は、本考案に従った第一の実施形態の断面図である。
【図２】図２は、本考案に従った第二の実施形態の分解斜視図である。
【図３】図３は、図２の投影型静電容量方式タッチパネルのＸ軸感知層およびＹ軸感知層の平面図である。
【図４】図４は、本考案に従った第三の実施形態のＸ軸感知層およびＹ軸感知層の平面図である。
【図５】図５は、本考案に従った第四の実施形態のＸ軸感知層およびＹ軸感知層の平面図である。
【図６】図６は、本考案に従った第五の実施形態のＸ軸感知層およびＹ軸感知層の平面図である。
【図７】図７は、本考案に従った第六の実施形態のＸ軸感知層およびＹ軸感知層の平面図である。
【図８】図８は、本考案に従った第七の実施形態の断面図である。
【図９】図９は、本考案に従った第八の実施形態の分解斜視図である。
【図１０】図１０は、図９の投影型静電容量方式タッチパネルのＸ軸感知層およびＹ軸感知層の平面図である。
【図１１】図１１は、従来の投影型静電容量方式タッチパネルの分解斜視図である。
【図１２】図１２は、従来の投影型静電容量方式タッチパネルの平面図である。
【図１３】図１３は、結合静電容量Ｃｐが２つの隣接するＸ軸電極と２つの隣接するＹ軸電極の間に形成されることの描写である。
【図１４】図１４は、静電容量Ｃｐ＋Ｃｆの描写である。
【考案を実施するための形態】
【００２０】
図１を参照すると、本考案に従った第一の実施形態は、Ｘ軸感知層ＸＳとＹ軸感知層ＹＳからなる。Ｘ軸感知層ＸＳとＹ軸感知層ＹＳは、それぞれ基板５００の上方表面５０１と下方表面５０２上に形成されても良い。
【００２１】
図２と図３を参照すると、本考案に従った第二の実施形態が開示されている。Ｘ軸感知層ＸＳとＹ軸感知層ＹＳは、それぞれ２つの基板５０５、５０６の２つの反対側の表面５０３、５０４上に形成されても良い。接続ポートが、基板５０５、５０６上に載置される。
Ｘ軸感知層ＸＳは、複数の感知行３０からなる。各感知行３０は、基板５０５上に形成されたＸ軸駆動ワイヤ３０１に電気的に接続された１つの端子を有する。各感知行３０は、直列に接続された複数のＸ軸電極３１からなる。
【００２２】
少なくとも１つの孔３１１、３１２が、各Ｘ軸電極３１上に形成される。実施形態では、各Ｘ軸電極３１上に形成された２つの孔３１１、３１２がある。各Ｘ軸電極３１中の２つの孔３１１、３１２は、三角形形状に且つお互いに反対側に形成され、それは１つの孔３１１のベースサイドがもう１つの孔３１２のベースサイドの反対側であることを意味する。経路３１５が、２つの孔３１１、３１２の間に形成され、同じ感知行３０中の経路３１５は、連続した信号経路を形成するように、１つのライン中に位置する。
【００２３】
Ｙ軸感知層ＹＳは、複数の感知列４０からなる。各感知列４０は、基板５０６上に形成されたＹ軸駆動ワイヤ４０１に電気的に接続された１つの端子を有する。各感知列４０は、直列に接続された複数のＹ軸電極４１からなる。
【００２４】
少なくとも１つの孔４１１、４１２が、各Ｙ軸電極４１上に形成される。同様に、各Ｙ軸電極４１上に形成された２つの孔４１１、４１２がある。この実施形態では、２つの孔４１１、４１２は、三角形形状に且つお互いに反対側に形成され、それは１つの孔４１１のベースサイドがもう１つの孔４１２のベースサイドの反対側であることを意味する。経路４１３が、２つの孔４１１、４１２の間に形成され、同じ感知列４０中の経路４１３は、連続した信号経路を形成するように、１つのライン中に位置する。
【００２５】
Ｘ軸電極３１とＹ軸電極４１上に形成された孔３１１、３１２、４１１、４１２があるので、基板５０５、５０６の上に電極材料が分布しているところの面積は削減される。従って、２つの隣接するＸ軸電極３１と２つの隣接するＹ軸電極４１の間の結合静電容量は、減少する。
【００２６】
上記の第二の実施形態では、孔３１１、３１２、４１１、４１２は、それぞれ全てのＸ軸電極３１および全てのＹ軸電極４１上に形成されている。図４を参照すると、本考案に従った第三の実施形態が開示されている。孔３１１、３１２、４１１、４１２は、基板上の或る位置に位置しているいくつかのＸ軸電極３１およびいくつかのＹ軸電極４１上のみに形成されている。前記或る位置は、基板上の接続ポートから遠く離れている。
【００２７】
図５を参照すると、本考案に従った第四の実施形態が開示されている。第四の実施形態と上記の実記形態との違いは、２つの孔３１１、３１２、４１１、４１２が半円形形状に且つお互いに反対側に形成されることであり、それは１つの孔３１１、４１１のベースサイドがもう１つの孔３１２、４１２のベースサイドの反対側であることを意味する。経路３１５、４１３が、それぞれ２つの孔３１１、３１２と４１１、４１２の間に形成される。
図６を参照すると、本考案に従った第五の実施形態が開示されている。第五の実施形態と第四の実記形態との違いは、１つの感知行３０の２つの隣接するＸ軸電極３１中の経路３１５がお互いに平行であり、１つの感知列４０の２つの隣接するＹ軸電極４１中の経路４１３がお互いに平行であることである。
図７を参照すると、本考案に従った第六の実施形態が開示されている。第六の実施形態と第三の実記形態との違いは、１つの感知行３０の２つの隣接するＸ軸電極３１中の経路３１５がお互いに平行であり、１つの感知列４０の２つの隣接するＹ軸電極４１中の経路４１３がお互いに平行であることである。
図８を参照すると、本考案に従った第七の実施形態が開示されている。第七の実施形態は主に、基板５０の上方表面５１と下方表面５２上にそれぞれ形成されたＸ軸感知層ＸＳとＹ軸感知層ＹＳからなる。
【００２８】
図９を参照すると、第八の実施形態のＸ軸感知層ＸＳとＹ軸感知層ＹＳは、それぞれ２つの基板５３、５４の２つの反対側の表面上に形成されている。
【００２９】
図１０を参照すると、Ｘ軸感知層は、複数の感知行１０からなる。各感知行１０は、Ｘ軸駆動ワイヤ１３に電気的に接続された１つの端子を有する。各感知行１０は、並列に接続された少なくとも２つのＸ軸電極ストリング１１、１２からなる。この実施形態では、各感知行１０は、並列に接続された２つのＸ軸電極ストリング１１、１２からなる。各Ｘ軸電極ストリング１１、１２は、直列に接続された複数のＸ軸電極１１１、１２１からなる。上記の実施形態のように、各Ｘ軸電極１１１、１２１上に形成された２つの孔１０１、１０２がある。
【００３０】
Ｙ軸感知層ＹＳは、複数の感知列２０からなる。各感知列２０は、Ｙ軸駆動ワイヤ２３に電気的に接続された１つの端子を有する。各感知列２０は、並列に接続された少なくとも２つのＹ軸電極ストリング２１、２２からなる。各Ｙ軸電極ストリング２１、２２は、直列に接続された複数のＹ軸電極２１１、２２１からなる。上記の実施形態のように、各Ｙ軸電極２１１、２２１上に形成された２つの孔２０１、２０２がある。
【００３１】
Ｘ軸電極ストリング１１、１２は、ＩＴＯのような透明な電極で作られているので、インピーダンスが存在する。この実施形態では、各感知行１０のＸ軸電極ストリング１１、１２は、並列に接続されている。従って、並列のＸ軸電極ストリングの等価インピーダンスは、単独のＸ軸電極ストリングのインピーダンスよりも小さい。言い換えると、Ｘ軸電極ストリング１１、１２が並列に接続された時、感知行１０のインピーダンスは減少する。同様に、各感知列２０のＹ軸電極ストリング２１、２２もまた、並列に接続されている。感知列２０のインピーダンスは減少する。孔１０１、１０２、２０１、２０２が、それぞれＸ軸電極１１１、１２１とＹ軸電極２１１、２２１上に形成されているので、結合静電容量は減少する。よって、本考案に従ったタッチパネルの感度は促進される。
【００３２】
しかも、孔１０１、１０２、２０１、２０２は、基板上の或る位置に位置しているいくつかのＸ軸電極１１１、１２１といくつかのＹ軸電極２１１、２２１上に形成されている。前記或る位置は、基板上の接続ポートから遠く離れている。孔１０１、１０２、２０１、２０２は、三角形形状、半円形形状、またはその他の幾何学的パターン、に形成されても良い。
【図１】
0003174557.tif 000003
【図２】
0003174557.tif 000004
【図３】
0003174557.tif 000005
【図４】
0003174557.tif 000006
【図５】
0003174557.tif 000007
【図６】
0003174557.tif 000008
【図７】
0003174557.tif 000009
【図８】
0003174557.tif 000010
【図９】
0003174557.tif 000011
【図１０】
0003174557.tif 000012
【図１１】
0003174557.tif 000013
【図１２】
0003174557.tif 000014
【図１３】
0003174557.tif 000015
【図１４】
0003174557.tif 000016